(57)【要約】【課題】携帯電話装置等の携帯情報装置に搭載可能な、小型化、軽量化および短時間処理が可能な目画像撮像装置および認証装置を提供する。【解決手段】目１を撮像する撮像素子２３と、撮像された画像情報から瞳孔の画像の中心座標を検出する瞳孔中心検出部３１と、中心座標にもとづいて、その周辺の所定領域を目エリアとして設定するエリア設定部３２と、目エリア内の画像情報にもとづいて、撮像素子２３の光量を制御する映像信号処理部２４とを備えた。【選択図】　図１
2004030246.tif 000002
【特許請求の範囲】
【請求項１】
目を撮像する撮像手段と、
前記撮像手段で撮像された画像情報から瞳孔の画像の位置を検出する瞳孔検出手段と、
前記位置周辺の所定領域を目エリアとして設定するエリア設定手段と、
前記目エリア内の画像情報にもとづいて、前記撮像手段の光量を制御する光量制御手段とを備えたことを特徴とする目画像撮像装置。
【請求項２】
目を撮像する撮像手段と、
前記撮像手段で撮像された画像情報から瞳孔の画像の位置を検出する瞳孔検出手段と、
前記位置周辺の所定領域を目エリアとして設定するエリア設定手段と、
前記撮像手段で撮像された画像情報にもとづいて、認証に用いるべき情報を作成し、出力する認証情報作成手段と、
認証に用いるべき情報を蓄積する認証情報蓄積手段と、
前記認証情報作成手段で作成された認証に用いるべき情報と、あらかじめ前記認証情報蓄積手段に登録された認証に用いるべき情報とを照合する照合処理手段と、
前記目エリア内の画像情報にもとづいて、前記撮像手段の光量を制御する光量制御手段とを備えたことを特徴とする認証装置。
【請求項３】
前記エリア設定手段および前記撮像手段に接続され、前記撮像手段で撮像された画像情報において、前記エリア設定手段によって目エリアとして設定された領域における輝度平均値を算出する輝度平均算出手段を備え、
前記光量制御手段は、前記目エリア内の画像情報の前記輝度平均値にもとづいて前記撮像手段の光量を制御することを特徴とする請求項２に記載の認証装置。
【請求項４】
前記光量制御手段は、前記目エリア内の画像情報の前記輝度平均値が所定の値以上の場合には、あらかじめ記憶された所定値を輝度平均値として前記撮像手段の光量を制御することを特徴とする請求項３に記載の認証装置。
【請求項５】
前記目エリアの大きさおよび縦横比が変更できることを特徴とする請求項２から請求項４までのいずれか１項に記載の認証装置。
【請求項６】
前記瞳孔検出手段において、前記撮像手段で撮像された画像情報内に目とみなされる情報がないと判定された場合には、前記画像情報内のあらかじめ設定された所定の座標を瞳孔の中心座標であるとみなして前記目エリアを設定することを特徴とする請求項２から請求項５までのいずれか１項に記載の認証装置。
【請求項７】
前記所定の座標が、前記画像情報の中心座標であることを特徴とする請求項６に記載の認証装置。
【請求項８】
撮像手段によって目の画像情報を撮像するステップと、
前記画像情報から瞳孔の画像の位置を検出するステップと、
前記位置周辺の所定領域を目エリアとして設定するステップと、
前記目エリア内の画像情報にもとづいて、前記撮像手段の光量を制御するステップとを有することを特徴とする目画像撮像方法。
【発明の詳細な説明】
【０００１】
【発明の属する技術分野】
本発明は、目の画像情報にもとづいて個人認証を行う認証装置に関する。
【０００２】
【従来の技術】
近年、急速に普及している携帯電話装置等の携帯情報装置に搭載すべき、本人認証を行う認証装置として、目の虹彩パターンの画像情報にもとづいて個人認証を行う虹彩認証装置が、その高い本人認証率から注目されている。
【０００３】
従来、虹彩パターンの画像情報を用いて個人認証を行う方法としては、近赤外光を使用者の目に照射して撮像し、得られた目の画像（以下、目画像と記す）から虹彩パターンの情報（以下、虹彩情報と記す）を作成、例えばコード化して識別のための情報とし、データベースにあらかじめ登録された虹彩情報と比較照合することによって、個人認証を行う構成の虹彩認証装置が知られている。このような構成においては、使用者の虹彩情報を正確に抽出する必要があるために、目画像を撮像画面内の認証を行える所望の大きさに、いかに短時間に誘導を行って撮像するかが大きな課題となっていた。
【０００４】
例えば、この課題を解決するために、目画像撮像装置として、顔全体を撮像するための広角カメラと、目の周辺部分のみを撮像するための移動可能な望遠カメラとの２台のカメラを備えた構成の虹彩認証装置が提案されている（例：特開平１０−４０３８６号公報）。
【０００５】
このような構成の虹彩認証装置では、広角カメラで撮像した顔画像または上半身画像の中から目の位置を抽出し、広角カメラで撮像された画像中の座標情報として、目の位置に関する情報を望遠カメラの移動を制御する制御部に伝える。制御部では、この位置情報にもとづいて、望遠カメラを使用者の目の方向に向けて移動させるように制御が行われる。このような構成によって、目画像を所望の大きさに拡大して撮像し、虹彩情報を得ることができた。
【０００６】
一方で、前述のように、携帯情報装置に搭載される虹彩認証装置においては、装置の小型化、軽量化および低価格化が重要な課題となってきている。このような虹彩認証装置では、広角カメラと望遠カメラの２台のカメラを装備すると、望遠カメラを移動させるための駆動機構や回路等も別途必要となるために、装置全体が大型化してしまい、携帯情報機器への搭載が大変困難であった。
【０００７】
また、虹彩認証装置を小型化するに際しては、虹彩情報を取得するためのレンズ系として、その構成が比較的簡易な、固定焦点レンズ等の光学系を利用する必要があった。
【０００８】
【発明が解決しようとする課題】
しかしながら、このような固定焦点レンズ等の光学系を用いた場合、撮像範囲は目周辺の狭い範囲の画角に限られてしまう。このため、使用者に対して目の位置を所定の位置に配置するように誘導している間は、撮像している画角が狭いために、人体が撮像範囲に出たり入ったりして、安定した画像が撮像されないという課題があった。特に、近赤外光による撮像の場合、人体の皮膚が露出した部分については「白」く撮像され、人体以外の背景は逆に「黒」く撮像されるが、上述の誘導の際に、カメラが使用者に対して相対的に移動することによって、撮像画像の輝度が非常に激しく変化してしまう。これにより、適切に輝度補正するなどして画質調整を行うことが難しくなる。そして、使用者が目を所定の位置まで誘導することや、フォーカスを合わせることが非常に難しく、適切な虹彩情報を取得するのに手間取るので、本人認証に長い時間を要してしまうという課題があった。
【０００９】
本発明は、前述の課題を解決するもので、小型化、軽量化、低価格化および短時間処理が可能な目画像撮像装置および認証装置を提供することを目的とする。
【００１０】
【課題を解決するための手段】
本発明の目画像撮像装置は、目を撮像する撮像手段と、撮像手段で撮像された画像情報から瞳孔の画像の位置を検出する瞳孔検出手段と、位置周辺の所定領域を目エリアとして設定するエリア設定手段と、目エリア内の画像情報にもとづいて、撮像手段の光量を制御する光量制御手段とを備えたことを特徴としている。
【００１１】
このような構成により、目の周辺の画像情報を基準とした適切なゲイン調整やシャッタ速度の制御等の光量制御が可能となる。これにより、単焦点レンズのような簡易な構成のレンズ系を用いた構成の目画像撮像装置において、使用者に対して目の位置の誘導を行っている際に取得されるような、動きのある画像情報についても、目の周辺部分については安定した画像情報を取得することができるので、使用者に対しての誘導やフォーカス調整等の処理が適切に、短時間で行うことが可能な目画像撮像装置を提供することができる。
【００１２】
次に、本発明の認証装置は、目を撮像する撮像手段と、撮像手段で撮像された画像情報から瞳孔の画像の位置を検出する瞳孔検出手段と、位置周辺の所定領域を目エリアとして設定するエリア設定手段と、撮像手段で撮像された画像情報にもとづいて、認証に用いるべき情報を作成し、出力する認証情報作成手段と、認証に用いるべき情報を蓄積する認証情報蓄積手段と、認証情報作成手段で作成された認証に用いるべき情報と、あらかじめ認証情報蓄積手段に登録された認証に用いるべき情報とを照合する照合処理手段と、目エリア内の画像情報にもとづいて、撮像手段の光量を制御する光量制御手段とを備えたことを特徴としている。
【００１３】
このような構成により、目の周辺の画像情報を基準とした適切なゲイン調整やシャッタ速度の制御等の光量制御が可能となる。これにより、単焦点レンズのような簡易な構成のレンズ系を用いた構成の認証装置において、使用者に対して目の位置の誘導を行っている際に取得されるような、動きのある画像情報についても、目の周辺部分については安定した画像情報を取得することができるので、使用者に対しての誘導やフォーカス調整等の処理が適切に、短時間で行うことが可能な認証装置を提供することができる。
【００１４】
また、エリア設定手段および撮像手段に接続され、撮像手段で撮像された画像情報において、エリア設定手段によって目エリアとして設定された領域における輝度平均値を算出する輝度平均算出手段を備え、光量制御手段は、目エリア内の画像情報の輝度平均値にもとづいて撮像手段の光量を制御する構成により、使用者の目の位置を誘導している場合に取得される画像情報のように、輝度情報の変化が激しい画像情報においても、目の周辺部分については安定した輝度レベルの画像情報を取得することができるので、さらに使用者に対しての誘導やフォーカス調整等の処理が適切に、短時間で行うことが可能な認証装置を提供することができる。
【００１５】
さらに、光量制御手段は、目エリア内の画像情報の輝度平均値が所定の値以上の場合には、あらかじめ記憶された所定値を輝度平均値として撮像手段の光量を制御する構成により、撮像された画像情報全体の輝度情報が高いときに、目画像が画角内に入ってくるタイミングを確実に捉えることができるので、使用者に対する誘導や、フォーカス調整等の処理が、より適切に、短時間で行える認証装置を提供することができる。
【００１６】
また、目エリアの大きさ、および縦横比が変更できる構成により、目の形状や大きさに合わせた目エリアを設定することができるので、さらに適切な光量制御が可能であるので、使用者に対する誘導やフォーカス調整等の処理が、より適切に、短時間で行える認証装置を提供することができる。
【００１７】
さらに、瞳孔検出手段において、撮像手段で撮像された画像情報内に目とみなされる情報がないと判定された場合には、画像情報内のあらかじめ設定された所定の座標を瞳孔の中心座標であるとみなして目エリアを設定する構成により、目位置誘導中などで画角内に目がない状態から、画角内に目が入ってくるような、不安定な画像の処理を行う必要がある場合においても、処理の不連続性をなくし、処理を簡素化できる認証装置を提供することができる。
【００１８】
また、所定の座標が、画像情報の中心座標である場合にもっとも処理を簡素化できる認証装置を提供することができる。
【００１９】
次に、本発明の目画像撮像方法は、撮像手段によって目の画像情報を撮像するステップと、画像情報から瞳孔の画像の位置を検出するステップと、位置周辺の所定領域を目エリアとして設定するステップと、目エリア内の画像情報にもとづいて、撮像手段の光量を制御するステップとを有することを特徴としている。
【００２０】
このような構成により、目の周辺の画像情報を基準とした適切なゲイン調整やシャッタ速度の制御等の光量制御が可能となる。これにより、使用者に対して目の位置の誘導を行っている際に取得されるような、動きのある、輝度変化の大きな画像情報についても、目の周辺部分については安定した画像情報を取得することができるので、使用者に対しての誘導やフォーカス調整等の処理を適切に、短時間で行うことが可能な目画像撮像方法を提供することができる。
【００２１】
【発明の実施の形態】
以下、本発明の実施の形態について、図面を用いて詳細に説明する。
【００２２】
なお、本発明の実施の形態においては、認証装置の例として、虹彩認証装置についての説明を行う。
【００２３】
（第１の実施の形態）
図１は本発明の虹彩認証装置の構成を示すブロック図である。
【００２４】
本発明の虹彩認証装置２は、使用者に対して照明を行う照明部１０、使用者の目１の虹彩パターンの画像情報を撮像する撮像部２０、撮像部２０で撮像された画像情報を、認証に用いる際に適するように補正する前処理部３０、さらに、前処理部３０から出力された画像情報から本人認証に用いる認証のための情報を作成し、あらかじめ登録された情報と照合することにより本人認証を行う認証処理部４０から構成されている。
【００２５】
照明部１０は、近赤外光ＬＥＤ等の光源からなる赤外線照明部１１と、赤外線照明部１１の点滅を制御する照明制御部１２から構成されており、撮像時には使用者に対して目画像取得に十分な光量の近赤外光を照射する構造となっている。
【００２６】
目画像撮像装置である撮像部２０は、レンズ系２１、可視光カットフィルタ２２、ＣＣＤやＣＭＯＳ等の撮像素子２３、映像信号処理部２４およびＡｕｔｏｍａｔｉｃ　Ｌｉｇｈｔ　Ｃｏｎｔｒｏｌ（以下、ＡＬＣと記す）部２５で構成されている。
【００２７】
赤外線照明部１１によって照射された、使用者の目１の虹彩およびその周辺からの反射光は、レンズ系２１、可視光カットフィルタ２２を介して、撮像素子２３に入射する。入射光は撮像手段である撮像素子２３で光電変換され、電気信号として映像信号処理部２４に出力される。また、映像信号処理部２４は照明制御部１２の制御も行う。なお、本発明の虹彩認証装置２においては、レンズ系２１の構成を特に限定するものではないが、使用者の目１周辺の画像が取得できるような焦点距離を有する単焦点レンズをレンズ系２１に用いた構成にすることによって、虹彩認証装置２全体を小型、軽量化、低価格化することが可能である。
【００２８】
光量制御手段である映像信号処理部２４では、撮像素子２３から出力された電気信号から映像信号が抽出される。この際、ゲイン調整や電子シャッタのシャッタ速度等を調節することによって光量制御が行われる。
【００２９】
ＡＬＣ部２５は、映像信号処理部２４の光量制御に用いるパラメータ、すなわち、ゲイン調整や電子シャッタのシャッタ速度等の制御を行う際に参照するパラメータ（以下、ＡＬＣパラメータと記す）を算出し、このＡＬＣパラメータを映像信号処理部２４のレジスタに対して付与する。
【００３０】
映像信号処理部２４では、ＡＬＣ部２５から付与されたＡＬＣパラメータを参照して、映像信号を取得する際に必要な、ゲイン調整やシャッタ速度の調整等をして光量の制御処理を行った上で、撮像素子２３で撮像された画像情報を取得し、使用者の目１の画像情報の映像信号として前処理部３０の認証画像取得部３３へ出力する。
【００３１】
前処理部３０は、瞳孔中心検出部３１、エリア設定部３２、輝度平均算出部３４および認証画像取得部３３から構成されている。瞳孔検出手段である瞳孔中心検出部３１では、映像信号処理部２４から出力された映像信号から目１の位置を検出する。エリア設定部３２では、映像信号処理部２４の光量制御の対象となるエリアを設定して、輝度平均算出部３４へ出力する。輝度平均算出部３４では、映像信号処理部２４から出力された映像信号のうち、エリア設定部３２から出力されたエリアについて、輝度平均を算出して、ＡＬＣ部２５に出力する。認証画像取得部３３は、映像信号処理部２４から出力された映像信号を取得（キャプチャ）し、本人認証用の目画像の画像情報として認証処理部４０に出力する。
【００３２】
認証処理部４０は、虹彩画像判定部４１、虹彩情報作成部４２、虹彩情報蓄積部４３および虹彩照合処理部４４で構成されている。前処理部３０から出力された目画像の画像情報に対し、虹彩画像判定部４１は、画像情報のコントラスト等の情報から、本人認証に用いる虹彩情報の抽出が可能であるか、または不可能であるかを判定する。
【００３３】
虹彩画像判定部４１にて、画像情報から虹彩情報が抽出可能であると判断された場合には、虹彩画像判定部４１から虹彩情報作成部４２に目画像の画像情報が受け渡される。虹彩情報作成部４２では目画像の画像情報をコード化して、認証に用いるべき虹彩情報であるコード情報を得る。このような画像情報のコード化は、公知の方法（例：特公平５−８４１６６号公報）によって行う。
【００３４】
虹彩認証装置２が使用者の虹彩情報を登録する際、すなわち登録モードのときは、抽出したコード情報を虹彩情報蓄積部４３に登録データとして蓄積する。
【００３５】
また、虹彩認証装置２が使用者の本人認証を行うモード、すなわち認証モードのときは、虹彩情報作成部４２から虹彩照合処理部４４にコード情報を出力する。虹彩照合処理部４４では、虹彩情報作成部４２から出力されたコード情報と、あらかじめ登録された虹彩情報蓄積部４３に蓄積されたコード情報とを比較照合して、使用者があらかじめ登録された登録者であるか否かの判定を行い、携帯情報装置のアプリケーションの起動を制御する認証結果処理部（図示しない）等に判定結果を出力する。
【００３６】
次に、本実施の形態の虹彩認証装置２について、その処理フローをさらに詳細に説明する。
【００３７】
図２は、上述した構成の虹彩認証装置２の処理を示すフローチャートである。まず、撮像部２０の撮像素子２３によって、目画像の撮像が行われる（ステップＳ１）。撮像素子２３から出力された電気信号から、映像信号処理部２４において映像信号が抽出される（ステップＳ２）。映像信号処理部２４が映像信号の抽出を行う際には、後に詳述するような方法で算出された、ゲイン調整や電子シャッタのシャッタ速度等のＡＬＣパラメータを参照して光量の制御が行われる。
【００３８】
映像信号処理部２４においては、さらに映像信号から輝度信号が抽出され、認証画像取得部３３、瞳孔中心検出部３１および輝度平均算出部３４に出力される。（ステップＳ４）。
【００３９】
次に、映像信号処理部２４から出力された輝度信号からなる画像情報が、認証画像取得部３３において、虹彩認証用画像として取得（キャプチャ）され、認証処理部４０へ出力される（ステップＳ１１）。認証処理部４０では、認証画像取得部３３から出力された画像情報にもとづいて、本人認証が行われる（ステップＳ１２）。
【００４０】
ここで、映像信号処理部２４が映像信号の抽出を行う際に用いる、ゲイン調整や電子シャッタのシャッタ速度等のＡＬＣパラメータの決定について、詳述する。
【００４１】
ステップＳ４において、映像信号処理部２４から輝度信号を受け取った瞳孔中心検出部３１では、映像信号処理部２４から出力された輝度信号から、画面中の輝度分布を算出し、その情報等にもとづいて瞳孔の中心座標値を算出し、エリア設定部３２に出力する（ステップＳ５）。エリア設定部３２では、瞳孔中心検出部３１から出力された座標値を中心として、ある一定の範囲を処理対象とするパルス、すなわち目エリアパルスを生成し、輝度平均算出部３４へ出力する（ステップＳ８）。
【００４２】
この目エリアパルスの生成について、さらに詳細に説明する。図３は目エリアパルスの説明図である。撮像された撮像画面５０を構成する画像情報のうち、瞳孔５１の中心から水平方向および垂直方向に、虹彩部５３を含むように設定された所定の範囲（以下、目エリア５６と記す）だけアクティブ（本実施の形態では信号がＨｉｇｈである部分がアクティブであるとした）となるような、水平目エリアパルス５７および垂直目エリアパルス５８を生成する。
【００４３】
エリア設定部３２から、水平目エリアパルス５７および垂直目エリアパルス５８を受け取った輝度平均算出部３４では、水平目エリアパルス５７および垂直目エリアパルス５８がアクティブである期間のみ、すなわち瞳孔中心から所定の範囲のみの輝度信号について輝度平均値を算出して、ＡＬＣ部２５へ出力する（ステップＳ９）。
【００４４】
ＡＬＣ部２５では、輝度平均算出部３４から出力された輝度平均値にもとづいて、光量制御に必要な、検出アンプのゲイン調整やシャッタ速度の制御等のパラメータであるＡＬＣパラメータを決定する（ステップＳ３）。ＡＬＣ部２５で決定されたＡＬＣパラメータは、映像信号処理部２４に出力される。これにより、映像信号処理部２４において、目エリア５６を基準とした光量制御および映像信号の検出が行われる（ステップＳ２）ので、目エリア５６の明確な、安定した輝度レベルの画像情報を得ることができる。これにより、使用者の誘導等が適切に、短時間の処理で行えると共に、後の本人認証を行う際に好適な画質の画像情報を得ることができる。
【００４５】
なお、使用者に対して、目位置を所定の位置に配置するように誘導している際に、目の位置が撮像部２０のレンズ系２１の画面中心から外れていた場合であって、人体の皮膚の部分が撮像画面５０内の大部分を占めるような場合には、輝度平均算出部３４で算出された輝度平均値は非常に高い値となる。また、目の位置が撮像部２０から遠い場合は逆に輝度平均算出部３４で算出された輝度平均値は非常に低い値となる。
【００４６】
このように撮像画面５０内の輝度値が非常に高い場合には、必要以上にゲインを小さくする光量制御をしないように、また、撮像画面５０内の輝度値が非常に低い場合には、必要以上にゲインを大きくする光量制御をしないように、あらかじめ設定された所定の値をＡＬＣパラメータとする構成であってもよい。
【００４７】
なお、前述の説明では、目エリアパルスの生成は、水平方向および垂直方向に等しい大きさになる例を示したが、本発明はこれに限定されない。一般に、人間の目は長方形状であるので、水平目エリアパルス５７、垂直目エリアパルス５８には各々独立の範囲設定レジスタを持たせ、図４に示すように、目の形にあわせて目エリア５６を横長形状に設定する構成であってもよい。
【００４８】
（第２の実施の形態）
次に、本発明の第２の実施の形態として、本発明の虹彩認証装置の別の処理フローについて説明する。図５は、本発明の虹彩認証装置の別の処理を示すフローチャートである。
【００４９】
虹彩認証装置の構成は第１の実施の形態で説明したものと同様の、図１に示した構成である。
【００５０】
なお、説明を簡単にするために、図５においては、図２に示した第１の実施の形態における処理と同様の処理については、同じステップ名を付与し、この処理ステップの内容についての説明は省略する。
【００５１】
本実施の形態の処理においては、瞳孔中心検出部３１における処理が第１の実施の形態の処理と異なる（ステップＳ５〜ステップＳ７）。
【００５２】
瞳孔中心検出部３１では、映像信号処理部２４から出力された輝度信号から、パターンマッチング等の方法を用いて、撮像された画像情報の中に、目に相当する物体が検出できるかどうかを判断する（ステップＳ６）。
【００５３】
目に相当する物体が検出されたと判断された場合は、輝度分布情報などから瞳孔の中心座標を検出し、エリア設定部３２に出力することは、第１の実施の形態に示した処理フローと同じである（ステップＳ５）。
【００５４】
一方、瞳孔中心検出部３１で、画像情報の中から目に相当する物体が検出できないと判断された場合は、撮像画面５０の中心等、あらかじめ設定された所定の座標を瞳孔の中心座標とし、エリア設定部３２に出力する（ステップＳ７）。
【００５５】
このような構成により、目に相当する物体が検出できない場合でも、目に相当する物体が検出できた場合と同様のアルゴリズムを使用できるため、目位置誘導中などで目の画像が画角内に入っていない状態から、急に画角内に目の画像が入ってくるような状態においても、処理の不連続性をなくし、処理を簡略化することができる。
【００５６】
なお、本発明の実施の形態においては、認証装置の例として、虹彩認証装置を取り上げて説明を行った。しかし本発明の認証装置はこれに限定されない。例えば、網膜や眼底を用いた認証装置等の、目画像を撮像して、その情報にもとづいて認証を行う認証装置であれば、本発明に含まれることはいうまでもない。
【００５７】
【発明の効果】
本発明によれば、単焦点レンズ等の簡易な構成のレンズ系を備えた構成の目画像撮像装置およびそれを用いた認証装置において、使用者に対して目の位置を誘導しているときの様に、撮像画面中での輝度変化の大きな場合にも、目の周辺の画像情報の輝度レベルを安定に保ち、認証に適した目画像を取得することができるので、小型化、軽量化、短時間処理の可能な目画像撮像装置および認証装置を提供することができる。
【図面の簡単な説明】
【図１】本発明の虹彩認証装置の構成を示すブロック図
【図２】本発明の第１の実施の形態における虹彩認証装置の動作手順を示すフローチャート
【図３】本発明の第１の実施の形態における目エリアパルスを示す説明図
【図４】同目エリアパルスの別の例を示す説明図
【図５】本発明の第２の実施の形態における虹彩認証装置の動作手順を示すフローチャート
【符号の説明】
１　目
２　虹彩認証装置
１０　照明部
１１　赤外線照明部
１２　照明制御部
２０　撮像部
２１　レンズ系
２２　可視光カットフィルタ
２３　撮像素子
２４　映像信号処理部
２５　ＡＬＣ部
３０　前処理部
３１　瞳孔中心検出部
３２　エリア設定部
３３　認証画像取得部
３４　輝度平均算出部
４０　認証処理部
４１　虹彩画像判定部
４２　虹彩情報作成部
４３　虹彩情報蓄積部
４４　虹彩照合処理部
５０　撮像画面
５１　瞳孔
５３　虹彩部
５６　目エリア
５７　水平目エリアパルス
５８　垂直目エリアパルス
【図１】
2004030246.tif 000003
【図２】
2004030246.tif 000004
【図３】
2004030246.tif 000005
【図４】
2004030246.tif 000006
【図５】
2004030246.tif 000007